(57)【要約】  【課題】周波数領域拡散ＭＣ−ＣＤＭＡを移動通信に適用する場合、受信処理側で、コード間干渉が生じ受信品質が低下する。これはＤＵＲ（希望波対干渉波電力）として定量的に評価できるが、多元接続時には拡散符号の組合せによりＤＵＲが大きく異なってくることが知られている。このため、多元接続時のコード間干渉の影響を軽減する装置の実現を目的とした。  【解決手段】ＤＵＲからシステムの性能を評価するＤＵＲ規範により拡散符合を決定することとし、拡散率ＳとＮ個の拡散符号の組合せから得られるＮ個の拡散符号の組合せに対して、ＤＵＲの最小値が最大となるように拡散符号の組合せを決定するか、または、同じくＤＵＲの平均値が最大となる拡散符号の組合せを決定するか、何れかの構成とした。【選択図】図３
2005184178.tif 000002
【特許請求の範囲】
【請求項１】
シンボルストリームを複製する複製器と、拡散符号を周波数領域で乗算する周波数領域拡散器と、逆離散フーリエ変換器又は逆高速フーリエ変換器を具備する送信局と、
離散フーリエ変換器又は高速フーリエ変換器と、伝搬路による歪みを推定し、補正するチャネル推定器と、前記拡散符号を周波数領域で乗算し、更に加算する周波数領域逆拡散器を具備する受信局と
から構成されるマルチキャリアＣＤＭＡシステムであって、
前記拡散符号をＤＵＲ規範、すなわち希望波対干渉波電力比からシステムの性能を評価する手順に基づき決定する
ことを特徴とするマルチキャリアＣＤＭＡシステム。
【請求項２】
請求項１に記載のマルチキャリアＣＤＭＡシステムであって、
Ｎを２以上で且つ拡散率Ｓより小さい自然数として、Ｎ個の前記拡散符号を割り当てる場合に、
前記ＤＵＲ規範が、割当可能なＳＣＮ通りの組合せから得られるＮ個の前記拡散符号の組合せに関するもので、
Ｄｋを拡散符号ｋの所望電力、Ｕｋｌを拡散符号ｌが拡散符号ｋに与える干渉電力、Ｕｋを拡散符号ｋ以外のＮ−１個の拡散符号それぞれが拡散符号ｋに与える干渉電力の総和としたとき、拡散符号ｋに対する希望波対干渉波電力ＤＵＲは(Ｄ／Ｕ)ｋで示して（数１）式により得られ、
【数１】
2005184178.tif 000005
（数１）式に基づいて前記ＳＣＮ通りの組合せから得られるＮ個の組合せについて前記ＤＵＲを算出し、
前記ＳＣＮ通りの組の中で、Ｎ個の前記ＤＵＲの最小値が最大となる前記拡散符号の組合せを選択すること
を特徴とするマルチキャリアＣＤＭＡシステム。
【請求項３】
請求項１記載のマルチキャリアＣＤＭＡシステムであって、
Ｎを２以上で且つ拡散率Ｓより小さい自然数として、Ｎ個の前記拡散符号を割り当てる場合に、
前記ＤＵＲ規範が割当可能なＳＣＮ通りの組合わせから得られるＮ個の拡散符号の組合せに関するもので、
Ｄｋを前記拡散符号ｋの所望電力、Ｕｋｌを拡散符号ｌが拡散符号ｋに与える干渉電力、Ｕｋを拡散符号ｋ以外のＮ−１個の前記拡散符号それぞれが拡散符号ｋに与える干渉電力の総和とするとき、拡散符号ｋに対する希望波対干渉波電力ＤＵＲは(Ｄ／Ｕ)ｋで示して（数２）式により得られ、
【数２】
2005184178.tif 000006
（数２）式に基づき、前記ＳＣＮ通りの組合せから得られるＮ個の組合せについて前記ＤＵＲを算出し、
前記ＳＣＮ通りの組の中で、Ｎ個の前記ＤＵＲの平均値が最大となる前記拡散符号の組合せを選択する
ことを特徴とするマルチキャリアＣＤＭＡシステム。
【請求項４】
拡散符号の割当数Ｎ＝２、３、…、Ｓのそれぞれに対し、前記ＤＵＲ規範により求められた前記拡散符号の組合せの中から特定の拡散符号を選択して割り当てる請求項２又は請求項３のマルチキャリアＣＤＭＡシステムであって、
ｋを２以上で且つ拡散率Ｓより小さい自然数として、Ｎ＝ｋに対応する特定の拡散符号の組合せと、Ｎ＝ｋ＋１に対応する特定の拡散符号の組合せを比較して、Ｎ＝ｋ＋１の組合せの中にＮ＝ｋの組合せの要素が含まれない数をＲｋとすれば、
前記特定の拡散符号の組合せは、(数３)の値が最小となるように選択される
【数３】
2005184178.tif 000007
ことを特徴とするマルチキャリアＣＤＭＡシステム。
【請求項５】
請求項２又は請求項３のマルチキャリアＣＤＭＡシステムであって、
選択された拡散符号の組合せの要素を拡散符号の割当対象に割り当てる際、
予め設定された優先度の高い前記割当対象から順に前記ＤＵＲの高い拡散符号を割り当てることを特徴とするマルチキャリアＣＤＭＡシステム。
【請求項６】
請求項２又は請求項３のマルチキャリアＣＤＭＡシステムであって、
選択された拡散符号の組合せの要素を拡散符号の割当対象が予め定められた時間間隔に同期して順に切り替える
ことを特徴とするマルチキャリアＣＤＭＡシステム。
【請求項７】
請求項１乃至請求項６の何れかに記載のマルチキャリアＣＤＭＡシステムに使用する送信局であって、
シンブルストリームを複製する複製器と、
拡散符号を周波数領域で乗算する周波数領域拡散器と、
逆離散フーリエ変換器または高速フーリエ変換器と
を具備することを特徴とするマルチキャリアＣＤＭＡシステム用送信局。
【請求項８】
請求項１乃至請求項６の何れかに記載のマルチキャリアＣＤＭＡシステムに使用する受信局であって、
離散フーリエ変換器または高速フーリエ変換器と、
伝播路による歪みを推定し、且つ補正するチャネル推定器と、
離散符号を周波数領域で乗算し、さらに加算する周波数領域逆拡散器と
を具備することを特徴とするマルチキャリアＣＤＭＡシステム用受信局。
【発明の詳細な説明】
【技術分野】
【０００１】
本発明は、移動体通信に適用するマルチキャリアＣＤＭＡシステムにおける多元接続用拡散符号の割当法及びその割当法を適用した送信局、受信局およびこれらを用いたシステムに関する。
【背景技術】
【０００２】
ＯＦＤＭ（直交周波数分割多重）とＣＤＭＡ（符号分割多重アクセス方式）とを組合せたマルチキャリアＣＤＭＡ（以下、ＭＣ−ＣＤＭＡ）方式は、ＯＦＤＭに見られる遅延波に対する高い耐性や周波数の直交性を利用した高い周波数利用効率という特徴と、ＣＤＭＡに見られるマルチセル環境における高い周波数利用効率という特徴を兼ね備えたものとして、近年盛んに研究開発が進められている。
【０００３】
ＭＣ−ＣＤＭＡは、ＤＳＳＳ（Direct Sequence  Spread  Spectrum）を用いた時間領域拡散ＭＣ−ＣＤＭＡと、サブキャリア毎に拡散符号の１チップを割り当てる周波数領域拡散ＭＣ−ＣＤＭＡとの２つに大別することができる。後者では、アップリンクのように割当対象間でＯＦＤＭシンボルが非同期の場合は、受信機において非同期受信の影響により特性が劣化し、更に割当対象毎に異なる周波数選択性フェージングを受ける場合は、受信機において逆拡散出力に含まれる異なる拡散符号との相互相関（コード間干渉；ＩＣＩ）が増大し、特性が劣化する。ダウンリンクにおいても、逆拡散段で周波数領域に拡散されたデータシンボルを合成する際にＩＣＩが無視できない場合があり、それによって特性が劣化する（非特許文献１および２）。
【０００４】
いずれのＭＣ−ＣＤＭＡにおいても、割当対象やデータを多重化する場合には拡散符号の直交性を利用し、規定された拡散符号を各割当対象あるいは各データブロックに割り当てる処理を行う。その際、規定された拡散符号の中からランダムに選択された符号を割り当てる処理が一般的に行われている。
【０００５】
【非特許文献１】E. A. Sourour and M. Nakagawa,“Performance of orthogonal multicarrier CDMA in a multipath fadingchannel,”IEEE Trans. Commun.,vol.44, pp.559-569, March 1996
【非特許文献２】S. Hara and R. Prasad, “Overview of multicarrier CDMA,”IEEE Commun. Mag., pp.126-133, Dec. 1997
【非特許文献３】庄納崇、山田知之、小林聖、荒木克彦、笹瀬巌“Multiple access interference in frequency-selective fading channels  on uplink MC-CDMA,”信学技報、RCS2003-180, Nov. 2003
【発明の開示】
【発明が解決しようとする課題】
【０００６】
上述のように、周波数領域拡散ＭＣ−ＣＤＭＡを移動通信に適用する場合、様々な要因によって、受信機において逆拡散を行う際にＩＣＩが発生する。このＩＣＩはＤＵＲ（希望波対干渉波電力比）として定量的に評価できるが、多元接続時に割り当てる拡散符号の組合せによってはＤＵＲが大きく異なることが示されている（非特許文献３）。そこで本発明においては、周波数領域拡散ＭＣ−ＣＤＭＡの多元接続に際し、ＩＣＩを最小化する（つまり、ＤＵＲを最大化する）ことでシステム性能を最大化することを目的とする。
【課題を解決するための手段】
【０００７】
本発明は上記目的を達成するために、請求項１においてはシンボルストリームを複製する複製器と、拡散符号を周波数領域で乗算（拡散）する周波数領域拡散器と、逆離散フーリエ変換器（ＩＤＦＴ）又は逆高速フーリエ変換器（ＩＦＦＴ）を具備する送信局と、離散フーリエ変換器（ＤＦＴ）又は高速フーリエ変換器（ＦＦＴ）と、伝搬路による歪みを推定し、補正するチャネル推定器と、前記拡散符号を周波数領域で乗算し、更に加算する周波数領域逆拡散器を具備する受信局と
から構成されるマルチキャリアＣＤＭＡシステムであって、前記拡散符号をＤＵＲ規範といわれる希望波対干渉波電力比算出の方法に基づき決定するマルチキャリアＣＤＭＡシステムについて規定している。
【０００８】
請求項２においては、請求項１に記載のマルチキャリアＣＤＭＡシステムであって、Ｎを２以上で且つ拡散率Ｓより小さい自然数として、Ｎ個の前記拡散符号を割り当てる場合に、前記ＤＵＲ規範が、割当可能なＳＣＮ通りの組合せから得られるＮ個の前記拡散符号の組合せに関するもので、Ｄｋを拡散符号ｋの所望電力、Ｕｋｌを拡散符号ｌが拡散符号ｋに与える干渉電力、Ｕｋを拡散符号ｋ以外のＮ−１個の拡散符号それぞれが拡散符号ｋに与える干渉電力の総和としたとき、拡散符号ｋに対する希望波対干渉波電力ＤＵＲは(Ｄ／Ｕ)ｋで示して請求項１に記載の（数１）式により得られ、（数１）式に基づいて前記ＳＣＮ通りの組合せから得られるＮ個の組合せについて前記ＤＵＲを算出し、前記ＳＣＮ通りの組の中で、Ｎ個の前記ＤＵＲの最小値が最大となる前記拡散符号の組合せを選択するマルチキャリアＣＤＭＡシステムについて規定している。
【０００９】
請求項３においては、請求項１記載のマルチキャリアＣＤＭＡシステムであって、Ｎを２以上で且つ拡散率Ｓより小さい自然数として、Ｎ個の前記拡散符号を割り当てる場合に、前記ＤＵＲ規範が、割当可能なＳＣＮ通りの組合せから得られるＮ個の拡散符号の組合せに関するもので、Ｄｋを前記拡散符号ｋの所望電力、Ｕｋｌを拡散符号ｌが拡散符号ｋに与える干渉電力、Ｕｋを拡散符号ｋ以外のＮ−１個の前記拡散符号それぞれが拡散符号ｋに与える干渉電力の総和とするとき、拡散符号ｋに対する希望波対干渉波電力ＤＵＲは(Ｄ／Ｕ)ｋで示して請求項２に記載の（数２）式により得られ、（数２）式に基づき、前記ＳＣＮ通り組合せから得られるＮ個の組合せについて前記ＤＵＲを算出し、前記ＳＣＮ通りの組の中で、Ｎ個の前記ＤＵＲの平均値が最大となる前記拡散符号の組合せを選択するマルチキャリアＣＤＭＡシステムについて規定している。
【００１０】
請求項４においては、拡散符号の割当数Ｎ＝２、３、…、Ｓのそれぞれに対し、前記ＤＵＲ規範により求められた前記拡散符号の組合せの中から特定の拡散符号を選択して割り当てる請求項２又は請求項３のマルチキャリアＣＤＭＡシステムであって、ｋは２以上且つ拡散率Ｓより小さい自然数として、Ｎ＝ｋに対応する特定の拡散符号の組合せと、Ｎ＝ｋ＋１に対応する特定の拡散符号の組合せを比較して、Ｎ＝ｋ＋１の組合せの中にＮ＝ｋの組合せの要素が含まれない数をＲｋとすれば、前記特定の拡散符号の組合せは、請求項４に記載の(数３)式の値が最小となるように選択するマルチキャリアＣＤＭＡシステムについて規定している。
【００１１】
請求項５においては、請求項２又は請求項３のマルチキャリアＣＤＭＡシステムであって、選択された拡散符号の組合せの要素を拡散符号の割当対象に割り当てる際に、予め設定された優先度の高い前記割当対象から順に前記ＤＵＲの高い拡散符号を割り当てるマルチキャリアＣＤＭＡシステムについて規定している。
【００１２】
請求項６においては、請求項２又は請求項３のマルチキャリアＣＤＭＡシステムであって、選択された拡散符号の組合せの要素を拡散符号の割当対象が予め定められた時間間隔に同期して順に切り替える構成について規定している。
【００１３】
請求項７においては、シンボルストリームを複製する複製器と、拡散符号を周波数領域で乗算する周波数領域拡散器と、逆離散フーリエ変換器または高速フーリエ変換器とを具備しているマルチキャリアＣＤＭＡシステム用送信局について規定している。
【００１４】
請求項８においては、離散フーリエ変換器または高速フーリエ変換器と、伝播による歪みを推定し、且つ補正するチャネル推定器と、離散符号を周波数領域で乗算し、さらに加算する周波数領域逆拡散器とを具備するマルチキャリアＣＤＭＡシステム用受信局について規定している。
【発明の効果】
【００１５】
本発明によるマルチキャリアＣＤＭＡ装置および拡散符号割当方法によれば、周波数領域拡散ＭＣ−ＣＤＭＡにおいて周波数選択性フェージングを受けることで生じるＩＣＩを、拡散符号の割当法によって最小化することが出来る。これにより時間領域拡散ＭＣ−ＣＤＭＡより特性の優れた周波数領域拡散ＭＣ−ＣＤＭＡの性能を最大化することが可能となる。
【発明を実施するための最良の形態】
【００１６】
本発明によるマルチキャリアＣＤＭＡ装置の実施の形態について、以下図により説明する。なお、本発明が適用される通信システムにおいては、端末となる複数の送信局側から基地局となる受信局に送信する場合（アップリンク）、およびこの逆で基地局となる送信局から端末である受信局に通信する場合（ダウンリンク）の、これら局間の通信においては直交周波数分割多重方式（ＯＦＤＭ）と符号分割多重アクセス方式（ＣＤＭＡ）との組合せであるマルチキャリアＣＤＭＡ（ＭＣ−ＣＤＭＡ）を採用している。このような通信システムにおいて、本発明における受信局においては、受信局と複数の送信局との接続を制御する多元接続制御部を有しており、この多元接続制御部は、
１）送信局がフレームを送信する際、フレームに含まれるチャネル推定用プリアンブルを送信中は、当該端末以外の端末のフレーム送信を休止し、当該プリアンブルの送信が完了した後に当該端末以外の端末のフレーム送信を再開する機能を有している。  
２）受信局に接続することが出来る複数の端末となる送受信局を収容するマルチキャリアＣＤＭＡ制御部を備えており、同時に、端末においても、マルチキャリアＣＤＭＡ制御部はアップリンクとダウンリンクを時分割複信（ＴＤＤ）する時分割複信制御部と、特定の周期で、特定のダウンリンク・スロットを用いて、全割当対象共通のパイロット信号を送信するパイロット信号送信制御部を有している。また、無線端末は、  
１） 受信パイロット信号に基づきチャネル伝達関数を導出するチャネル伝達関数導出部を有している。
２） また、導出されたチャネル伝達関数を無線基地局に通知するチャネル伝達関数通知部を有している。
【００１７】
図１は周波数領域拡散ＭＣ−ＣＤＭＡの送信局の構成図である。図１において、入力信号であるデータストリーム(Information data)は変調器(Modulator)１１で変調されてビットストリームとなった後、マルチプレクサ(Multiplexer)１２においてパイロット信号(Pilot)と共に多重化される。この多重化された出力は直列信号のビットストリームであるため直並変換器（Ｓ／Ｐ）１３によりＮｐ個の系列に変換され、さらに各系列においては複製器（Copier）１４１乃至１４ｎによりそれぞれ拡散率に相当するＳＦ個のシンボルストリームに複製される。この後、複製されたシンボルストリームは周波数領域で拡散器１５からの拡散符号(Spreading code)と乗算される。ここで拡散符号の生成に際しては、拡散符号割当器（Spreading code assigner）１５０により拡散符号割当の制御が行われる。この乗算結果は、逆高速フーリエ変換器（ＩＦＦＴ）１６（または逆離散フーリエ変換器）で時間領域での信号に逆変換された後、ガードインターバル挿入器（ＧＩ Insertion)１７でガードインターバルが挿入され送信信号(Transmitted signal)として送信される。ここで、ガードインターバルＧＩはコード間干渉の原因となるマルチパスフェーディングの影響を除去するために挿入されるものである。
【００１８】
図２は周波数領域拡散マルチキャリアＣＤＭＡの受信局の構成図である。受信信号（Received signal）はシンボルタイミング検出器（Symbol  timing detection）２１１で送信されてきたシンボルのタイミングを検出した後、ガードインターバル除去器（ＧＩ
removal）２１２でガードインターバルを除去する。これにより得られた信号は高速フーリエ変換器（ＦＦＴ）２２によりＮｃ個に分割された周波数領域におけるデータに変換され、チャネル推定器（Channel estimator）２３により伝搬路での歪みを推定し、乗算処理によりこの歪みは補正される。この後、周波数領域逆拡散器２４の出力である拡散符号（spreading code）と乗算される。ここで、拡散符号の生成に際しては、拡散符号割当器（Spreading code assigner）２４１により拡散符号割当の制御が行われる。さらに送信局に対応したＳＦ個づつの周波数領域におけるデータに纏められ、さらに、それぞれ加算器２５１〜２５ｎで加算してシンボルストリームとし、並直列変換器（Ｐ／Ｓ）２６により並列信号を直列のビットストリームとした後、逆信号点変換器(Demodulator)２７により再生データ(Recovered  data)を得ている。
【００１９】
(実施の形態１)
図３は、上記ＭＣ−ＣＤＭＡシステムにおける拡散符号割当器における拡散符号割当法のシーケンス図である。図３において、利用可能なＳ個の拡散符号それぞれに対して、自拡散符号と自分以外の拡散符号との２拡散符号間のＤＵＲ（希望波対干渉電力比）を求める（ステップ３０１）。このＤＵＲの算出に対しては、Ｎ個（Ｎは２以上で且つ拡散率Ｓより小さい自然数）の拡散符号を割り当てる場合、拡散符号ｋに対するＤＵＲを
（Ｄ／Ｕ）ｋ  とし、Ｄｋを拡散符号ｋにおける希望波の所望電力、Ｕｋｌを拡散符号ｌが拡散符号ｋに与える干渉電力、Ｕｋを拡散符号ｋ以外のＮ−１個の拡散符号それぞれが拡散符号ｋに与える干渉電力の総和として下記（数４）式で算出することが出来る。ここで、（数４）式は請求項１に記載の（数１）式と同じである。
【００２０】
【数４】
2005184178.tif 000003
（数４）により、ＳＣＮ通りのＤＵＲの組（Ｎ個で構成）を算出（ステップ３０２）する。
【００２１】
次いで、ＳＣＮ通りの組のうち、Ｎ個のＤＵＲの中で最も小さい値が最大となる拡散符号の組を選択する（ステップ３０３）。これにより得られた選択拡散符号を、本システムに接続している割当対象に対して任意に割り当てる(ステップ３０４)。ここで、多元接続数すなわち接続割当対象の数が変化しなければ（ステップ３０５のＮｏ）この状態を保持し、変化すれば（ステップ３０５でＹｅｓ）ステップ３０２の入力側に戻り再度拡散符号の割り当てを開始する。
【００２２】
（実施の形態２）
以上の処理においては、Ｎ個のＤＵＲのうちの最も小さい値が最大になる拡散符号の組合せを求めたが、ＤＵＲの最小値の代わりに平均値を用いてもよい。すなわち、この場合はＮ個のＤＵＲの平均値が最大となる拡散符号の組合せを選択することになる。図４は、この場合のシーケンス図を示すもので、ステップ４０３の処理が「ＤＵＲの最小値」が「平均値」に変更されている。
【００２３】
（実施の形態３）
図５は本発明における第３の実施の形態を示すもので、先ず、全てのＤＵＲの計算結果を拡散符号割当器内部にテーブルとして予め作成し保持しておき、多元接続数が変化した場合に、このテーブルを呼び出し参照して、割り当てる拡散符合を新たに決定する方法としている（ステップ５０６）。
【００２４】
図６は、上記のようにして作成されたテーブル（ステップ６０３）からＤＵＲの平均値を求め、その平均値が最大になる拡散符号の組を選択する処理を行っている（ステップ６０３）。
【００２５】
本発明、特にＮ個のＤＵＲの最小値が最大になる拡散符号の組合せを選択した場合の有効性を試算した結果を図７および図８に示す。図７はＷａｌｓｈ符号を使用したアップリンクの系で、逆拡散処理の段階でＥＧＣ(Equal Gain Combining)、またはＭＲＣ(Maximum Ratio Combining)を適用した場合である。図８は、Ｗａｌｓｈ符号または直交Ｇｏｌｄ符号でアップリンクの系で、ＭＲＣを適用した場合のシステムの場合について比較したものである。また、Ｎ個のＤＵＲの平均値が最大になる拡散符号の組合せを選択する場合の効果を図９に示す。図９はＷａｌｓｈ符号を使用したアップリンクの系で、ＭＲＣを適用した場合のシステムについて示したものである。何れの場合からも、ＤＵＲの最大化を行った方（黒で塗りつぶしたプロット）が示すようにＤＵＲの観点で性能が向上していることが分かる。また、図８から、直交符号の中でも直交Ｇｏｌｄ符号よりもＷａｌｓｈ符号の方が優れた特性を示している。
【００２６】
（実施の形態４）
次に、拡散符号割当法の例を図１０の模式図により説明する。図１０は割当対象数Ｎの変化に応じて各割当対象に割り当てられる拡散符号の変化を表したもので、横方向の配列が割当対象数、縦方向の配列が割当対象番号を示している。図１０でｃ2、ｃ4、ｃ5等記号ｃiは割り当てる個々の拡散符号を示すもので、図１０のこれらの配列の１例を示したもので、割当対象数Ｎ＝ｋ（ｋは２以上で且つ拡散率Ｓより小さい自然数）の変化に応じて各割当対象に割り当てられる拡散符号の変化を表している。
【００２７】
すなわち、拡散符号の割当数Ｎ＝２，３、…、Ｓのそれぞれに対し、前記（数１）式により規定されるＤＵＲの選定法、すなわち、ＤＵＲ規範により求められた拡散符号の組合せの中から特定の拡散符号を選択して割り当てる前記実施の形態１または実施の形態２に記載のマルチキャリアＣＤＭＡシステムであって、Ｎ＝ｋ（ｋは２以上且つ拡散率Ｓより小さい自然数）に対応する特定の拡散符号の組合せと、Ｎ＝ｋ＋１に対応する特定の拡散符号の組合せを比較して、Ｎ＝ｋ＋１の組合せの中にＮ＝ｋの組合せの要素が含まれない数をＲｋとすれば、前記特定の拡散符号の組合せは、
【００２８】
【数５】
2005184178.tif 000004
（数５）式を最小とするように選択することを特徴としている。ここで（数５）式は請求項４に記載の（数３）式と同じである。上記（実施の形態１）または（実施の形態２）を満足する拡散符号の組は１個以上である。つまり、選択できる候補が複数存在することがある。多元接続数が変化した場合に、変化前の割当拡散符号の組を考慮せず新規に拡散符号を割り当てる処理を行うより、変化前の割当拡散符号を可能な限り変えないで、新しい割当対象に対してのみ拡散符号を割り当てる方が処理のオーバーヘッドが少なくて済む。
【００２９】
変化前（Ｎ＝ｋ）の割当拡散符号が変化後（Ｎ＝ｋ＋１）の選択できる拡散符号の組の中にも含まれる場合を、特に継承符号と呼ぶことにすると、継承符号が存在する場合（例えば、図１０のＮ＝４におけるｃ２、ｃ４、ｃ５等は継承符号である。）は、これ等継承符号をそのまま使用し、継承符号がない場合にのみ入れ替えて利用する処理を行う。  
例えば、Ｎ＝４におけるｃ７はここで発生し、次のＮ＝５では存在しないから新規→破棄の処理が実行されることを示しており、Ｎ＝５におけるｃ５はＮ＝４から引継ぎ、Ｎ＝６では存在しないから継承→破棄の処理が行われることを示している。
【００３０】
また、選択された拡散符号の組合せの要素（つまり、拡散符号）を拡散符号の割当対象に割り当てる際、外部条件を考慮して決定された優先度をオペレータが入力し、この入力された優先度の高い割当対象から順にＤＵＲの高い拡散符号を割り当てるようにしている。ここで優先度とは、割当対象が要求する通信品質に対するものであり、顧客に対する所謂サービス品質（ＱｏＳ）と言われるものである。この方法を使用することにより、さらに、選択された拡散符号の組合せの要素（つまり、拡散符号ｃ２、ｃ４等）を、ある時点ではｃ２、ｃ４、ｃ５の順序で送り、他の時点ではｃ２、ｃ４、ｃ５の順序で送る等、拡散符号の割当対象が一連の符号構成を単位とし、この単位に同期して順序をランダマイズしながら順に切り替えることにより、前記のＱｏＳを確保するための優先度設定の処理を行うことなく各割当対象に対し平等な通信品質を提供することが出来るようになる。
【図面の簡単な説明】
【００３１】
【図１】周波数領域拡散ＭＣ−ＣＤＭＡの送信機構成図。
【図２】周波数領域拡散ＭＣ−ＣＤＭＡの受信機構成図。
【図３】（実施の形態１）の拡散符号割当法のシーケンス図。
【図４】（実施の形態２）の拡散符号割当法のシーケンス図。
【図５】（実施の形態３）の拡散符号割当法のシーケンス図。
【図６】（実施の形態３）における他の拡散符号割当法のシーケンス図。
【図７】（実施の形態１）における拡散符号割当法の効果を示すＤＵＲ比較図。
【図８】（実施の形態１）における異なる直交符号との拡散符号割当法の効果を示すＤＵＲ。
【図９】（実施の形態２）における拡散符号割当法の効果を示すＤＵＲ図。
【図１０】（実施の形態４）による拡散符号割当法の模式図。
【符号の説明】
【００３２】
１１：変調器       １２：マルチプレクサ
１３：直並列変換器     １４１〜１４ｎ：複製器
１５：拡散器     １５０：拡散符号割当器
１６：逆高速フーリエ変換器  １７：ガードインターバル挿入器
２１１：シンボルタイミング検出器  ２１２：ガードインターバル除去器
２２：高速フーリエ変換器    ２３：チャネル推定器
２４：周波数領域逆拡散器  ２４１：拡散符号割当器
２５１〜２５ｎ：加算器     ２６：並直列変換器
２７：逆信号点変換器
【図１】
2005184178.tif 000008
【図２】
2005184178.tif 000009
【図３】
2005184178.tif 000010
【図４】
2005184178.tif 000011
【図５】
2005184178.tif 000012
【図６】
2005184178.tif 000013
【図７】
2005184178.tif 000014
【図８】
2005184178.tif 000015
【図９】
2005184178.tif 000016
【図１０】
2005184178.tif 000017